(57)【特許請求の範囲】
【請求項１】
携帯電話機に着脱可能な記録媒体を着脱可能な記録媒体挿入口と、
前記記録媒体挿入口に挿入された前記記録媒体から着信先の電話番号リストを読み込む電話番号リスト取得部と、
前記電話番号リストにおいて各電話番号に対応づけられた表示名を表示する表示部と、
１つの前記表示された表示名が選択されたなら、前記電話番号リストにおいて前記選択された表示名に対応づけられた着信先の電話番号に発信する通信部と、を備え、
前記通信部は、
発信に先立ち、前記記録媒体から記録媒体契約者の識別情報を読み込み、当該識別情報を含む信号を電話サーバに送信し、前記電話サーバが当該識別情報を番号情報サーバに送信することにより当該番号情報サーバから受信した、当該識別情報に予め対応づけられた当該記録媒体契約者の電話番号を、前記電話サーバから受信し、発信時、受信した前記記録媒体契約者の電話番号を発信元として前記着信先の電話番号に発信する
ことを特徴とする公衆電話機。
【請求項２】
前記電話番号リスト取得部に代えて、
前記記録媒体から記録媒体契約者の識別情報を読み込み、当該識別情報を含む信号を前記電話サーバに送信し、前記電話サーバが当該識別情報を番号情報サーバに送信することにより当該番号情報サーバから受信した、当該識別情報に予め対応づけられた着信先の電話番号リストを、前記電話サーバから受信する電話番号リスト取得部
を備えることを特徴とする請求項１記載の公衆電話機。
【請求項３】
前記通信部は、
前記記録媒体に記録媒体契約者の電話番号が保存されている場合、
発信に先立ち、前記記録媒体から前記記録媒体契約者の電話番号を読み込み、
発信時、取得した前記記録媒体契約者の電話番号を発信元として前記着信先の電話番号に発信する
ことを特徴とする請求項１または２記載の公衆電話機。
【請求項４】
前記発信による通話の課金を前記公衆電話機に投入された通貨または通貨の同等物に対して行う
ことを特徴とする請求項１ないし３のいずれかに記載の公衆電話機。
【請求項５】
請求項１ないし４のいずれかに記載の公衆電話機と、
前記発信による通話を中継し、且つ、前記公衆電話機が前記記録媒体から読み込んだ記録媒体契約者の識別情報を前記公衆電話機から取得し、且つ、前記記録媒体契約者の識別情報と前記通話の課金に必要な情報とを課金サーバに送信する電話サーバと
を備えることを特徴とする通話システム。
【請求項６】
携帯電話機に着脱可能な記録媒体を着脱可能な記録媒体挿入口を備える公衆電話機の動作方法であって、
前記公衆電話機の電話番号リスト取得部が、前記記録媒体挿入口に挿入された前記記録媒体から着信先の電話番号リストを読み込み、
前記公衆電話機の表示部が、前記電話番号リストにおいて各電話番号に対応づけられた表示名を表示し、
前記公衆電話機の通信部が、１つの前記表示された表示名が選択されたなら、前記電話番号リストにおいて前記選択された表示名に対応づけられた着信先の電話番号に発信し、
前記公衆電話機の前記通信部は、発信に先立ち、前記記録媒体から記録媒体契約者の識別情報を読み込み、当該識別情報を含む信号を電話サーバに送信し、前記電話サーバが当該識別情報を番号情報サーバに送信することにより当該番号情報サーバから受信した、当該識別情報に予め対応づけられた当該記録媒体契約者の電話番号を、前記電話サーバから受信し、発信時、受信した前記記録媒体契約者の電話番号を発信元として前記着信先の電話番号に発信する
ことを特徴とする公衆電話機の動作方法。
【請求項７】
携帯電話機に着脱可能な記録媒体を着脱可能な記録媒体挿入口を備える公衆電話機の動作方法であって、
前記公衆電話機の電話番号リスト取得部が、前記記録媒体挿入口に挿入された前記記録媒体から記録媒体契約者の識別情報を読み込み、当該識別情報を含む信号を電話サーバに送信し、
前記公衆電話機の電話番号リスト取得部が、前記電話サーバが当該識別情報を番号情報サーバに送信することにより当該番号情報サーバから受信した、当該識別情報に予め対応づけられた着信先の電話番号リストを、前記電話サーバから受信し、
前記公衆電話機の表示部が、前記電話番号リストにおいて各電話番号に対応づけられた表示名を表示し、
前記公衆電話機の通信部が、１つの前記表示された表示名が選択されたなら、前記電話番号リストにおいて前記選択された表示名に対応づけられた着信先の電話番号に発信し、
前記公衆電話機の前記通信部は、発信に先立ち、前記記録媒体から記録媒体契約者の識別情報を読み込み、当該識別情報を含む信号を前記電話サーバに送信し、前記電話サーバが当該識別情報を番号情報サーバに送信することにより当該番号情報サーバから受信した、当該識別情報に予め対応づけられた当該記録媒体契約者の電話番号を、前記電話サーバから受信し、発信時、受信した前記記録媒体契約者の電話番号を発信元として前記着信先の電話番号に発信する
ことを特徴とする公衆電話機の動作方法。
【発明の詳細な説明】
【技術分野】
【０００１】
本発明は、携帯電話機から発信可能な着信先の電話番号に発信できる公衆電話機、通信システムおよび公衆電話機の動作方法に関する。
【背景技術】
【０００２】
携帯電話機は場所を選ばず通話でき、利便性が高いが、電池が切れると通話不可能となる。そのときは、例えば、公衆電話機を探して使えばよい。
【先行技術文献】
【非特許文献】
【０００３】
【非特許文献１】独立行政法人、情報処理推進機構セキュリティセンタ−、「複数の組込み機器の組み合わせに関するセキュリティ調査研究調査報告書」、2008年、1月付録
【発明の概要】
【発明が解決しようとする課題】
【０００４】
しかし、携帯電話機を使っていると着信先の電話番号を憶えないことが多く、公衆電話機が見つかっても着信先の電話番号を思い出せず、通話できない場合がある。
【０００５】
本発明は、携帯電話機から発信可能な着信先の電話番号に発信できる公衆電話機、通信システムおよび公衆電話機の動作方法を提供することを目的とする。
【課題を解決するための手段】
【０００６】
第１の本発明は、携帯電話機に着脱可能な記録媒体を着脱可能な記録媒体挿入口と、前記記録媒体挿入口に挿入された前記記録媒体から着信先の電話番号リストを読み込む電話番号リスト取得部と、前記電話番号リストにおいて各電話番号に対応づけられた表示名を表示する表示部と、１つの前記表示された表示名が選択されたなら、前記電話番号リストにおいて前記選択された表示名に対応づけられた着信先の電話番号に発信する通信部と、を備え、前記通信部は、発信に先立ち、前記記録媒体から記録媒体契約者の識別情報を読み込み、当該識別情報を含む信号を電話サーバに送信し、前記電話サーバが当該識別情報を番号情報サーバに送信することにより当該番号情報サーバから受信した、当該識別情報に予め対応づけられた当該記録媒体契約者の電話番号を、前記電話サーバから受信し、発信時、受信した前記記録媒体契約者の電話番号を発信元として前記着信先の電話番号に発信することを特徴とする。
【０００７】
第２の本発明は、第１の本発明の公衆電話機と、前記発信による通話を中継し、且つ、前記公衆電話機が前記記録媒体から読み込んだ前記記録媒体契約者の識別情報を前記公衆電話機から取得し、且つ、前記記録媒体契約者の識別情報と前記通話の課金に必要な情報とを課金サーバに送信する電話サーバとを備えることを特徴とする。
【０００８】
第３の本発明は、 携帯電話機に着脱可能な記録媒体を着脱可能な記録媒体挿入口を備える公衆電話機の動作方法であって、前記公衆電話機の電話番号リスト取得部が、前記記録媒体挿入口に挿入された前記記録媒体から着信先の電話番号リストを読み込み、前記公衆電話機の表示部が、前記電話番号リストにおいて各電話番号に対応づけられた表示名を表示し、前記公衆電話機の通信部が、１つの前記表示された表示名が選択されたなら、前記電話番号リストにおいて前記選択された表示名に対応づけられた着信先の電話番号に発信し、前記公衆電話機の前記通信部は、発信に先立ち、前記記録媒体から記録媒体契約者の識別情報を読み込み、当該識別情報を含む信号を電話サーバに送信し、前記電話サーバが当該識別情報を番号情報サーバに送信することにより当該番号情報サーバから受信した、当該識別情報に予め対応づけられた当該記録媒体契約者の電話番号を、前記電話サーバから受信し、発信時、受信した前記記録媒体契約者の電話番号を発信元として前記着信先の電話番号に発信することを特徴とする。
【０００９】
第４の本発明は、 携帯電話機に着脱可能な記録媒体を着脱可能な記録媒体挿入口を備える公衆電話機の動作方法であって、 前記公衆電話機の電話番号リスト取得部が、前記記録媒体挿入口に挿入された前記記録媒体から記録媒体契約者の識別情報を読み込み、当該識別情報を含む信号を電話サーバに送信し、前記公衆電話機の電話番号リスト取得部が、前記電話サーバが当該識別情報を番号情報サーバに送信することにより当該番号情報サーバから受信した、当該識別情報に予め対応づけられた着信先の電話番号リストを、前記電話サーバから受信し、前記公衆電話機の表示部が、前記電話番号リストにおいて各電話番号に対応づけられた表示名を表示し、前記公衆電話機の通信部が、１つの前記表示された表示名が選択されたなら、前記電話番号リストにおいて前記選択された表示名に対応づけられた着信先の電話番号に発信し、前記公衆電話機の前記通信部は、発信に先立ち、前記記録媒体から記録媒体契約者の識別情報を読み込み、当該識別情報を含む信号を前記電話サーバに送信し、前記電話サーバが当該識別情報を番号情報サーバに送信することにより当該番号情報サーバから受信した、当該識別情報に予め対応づけられた当該記録媒体契約者の電話番号を、前記電話サーバから受信し、発信時、受信した前記記録媒体契約者の電話番号を発信元として前記着信先の電話番号に発信することを特徴とする。
【発明の効果】
【００１０】
本発明によれば、携帯電話機から発信可能な着信先の電話番号に公衆電話機から発信できる。
【図面の簡単な説明】
【００１１】
【図１】本実施の形態に係る公衆電話機を含む通信システムの構成の一例を示す図である。
【図２】公衆電話機１を含む通信システムの動作の一例を示すシーケンス図である。
【発明を実施するための形態】
【００１２】
以下、本発明の実施の形態について図面を参照して説明する。
【００１３】
図１は、本実施の形態に係る公衆電話機を含む通信システムの構成の一例を示す図である。
公衆電話機１は、携帯電話機２に着脱可能な記録媒体３を着脱可能な構成の公衆電話機であり、通信回線を介して電話サーバ５に接続される。電話サーバ５は、例えば、SIP(Session Initiation Protocol)サーバである。
【００１４】
記録媒体３は、例えば、SIMカード:Subscriber Identity Module Cardと称されるものである。記録媒体３は、例えば、ＳＤカードやmicroSDカードの規格に準ずるものである。
記録媒体３は、携帯電話機２から発信する際の着信先の電話番号リスト３１を記憶している。電話番号リスト３１は、１以上の着信先の電話番号を含み、各電話番号に表示名が対応づけられている。
【００１５】
携帯電話機２は、電話番号リスト３１において各電話番号に対応づけられた表示名を表示し、表示された１つの表示名が選択されたなら、電話番号リスト３１において選択された表示名に対応づけられた着信先の電話番号に発信し、着信先とで通話を行えるようになっている。
【００１６】
電話サーバ５は、通信回線を介して、番号情報サーバ６、課金サーバ７、複数の電話機８に接続される。電話機８は、固定電話機でも携帯電話機でもよい。
【００１７】
公衆電話機１は、受話器１０１、表示パネル１０２、通貨投入口１０３、通話カード挿入口１０４、テンキー１０５、釣り銭取り出し口１０６、記録媒体挿入口１１、電話番号リスト取得部１２、表示部１３、通信部１４を備える。
記録媒体挿入口１１は、記録媒体３を着脱可能になっている。
【００１８】
電話番号リスト取得部１２は、記録媒体挿入口１１に挿入された記録媒体３から着信先の電話番号リスト３１を読み込むものである。
【００１９】
表示部１３は、電話番号リスト３１において各電話番号に対応づけられた表示名を表示パネル１０２に表示するものである。
【００２０】
通信部１４は、表示された１つの表示名がテンキー１０５による操作で選択されたなら、電話番号リスト３１において選択された表示名に対応づけられた着信先の電話番号に発信するものである。
【００２１】
図２は、公衆電話機１を含む通信システムの動作の一例を示すシーケンス図である。
【００２２】
Ｓ１：携帯電話機２を所持する例えば記録媒体契約者は、携帯電話機２の電池が切れた際、周辺にある公衆電話機１を探し、携帯電話機２から記録媒体３を抜き取り、記録媒体挿入口１１に挿入する。記録媒体契約者とは、ここでは、記録媒体３を挿入した携帯電話機２で行った通話の課金対象者をいうこととする。
【００２３】
Ｓ３：次に、電話番号リスト取得部１２が、記録媒体挿入口１１に挿入された記録媒体３から電話番号リスト３１を読み込む。
Ｓ５：次に、表示部１３が、電話番号リスト３１において各電話番号に対応づけられた表示名を表示パネル１０２に表示する。
【００２４】
なお、記録媒体３の悪用を防ぐべく、ＰＩＮコードの入力を促し、記録媒体３に記憶された正しいＰＩＮコードと同じものが入力された場合に限り、表示名を表示し、その後の処理を続けるようにしてもよい。
【００２５】
Ｓ７：次に、例えば記録媒体契約者が、通話したい相手の表示名をテンキー１０５による操作で選択する。また、場合によっては、記録媒体契約者は、電話番号非通知の操作（例えば、１８４のボタンを押す操作）を行う。
【００２６】
Ｓ１１：通信部１４は、電話番号非通知の操作が行われなかった場合、記録媒体３から記録媒体契約者の識別情報を読み込み、識別情報を含む信号を電話サーバ５に送信する。電話サーバ５がＳＩＰサーバの場合、信号はＲＥＳＩＳＴＥＲ信号という。
【００２７】
Ｓ１３：電話サーバ５は、この識別情報を含む信号を番号情報サーバ６に送信する。
Ｓ１５：番号情報サーバ６は、識別情報に予め対応づけられた記録媒体契約者の電話番号を含む信号を電話サーバ５に送信する。
【００２８】
Ｓ１７：電話サーバ５は、記録媒体契約者の電話番号を含む信号を公衆電話機１に送信する。
Ｓ２１：通信部１４は、記録媒体契約者の電話番号を発信元とし、Ｓ７で選択された表示名に対応づけられた電話番号を着信先として設定した発信信号を電話サーバ５に送信する。電話サーバ５がＳＩＰサーバの場合、発信信号はＩＮＶＩＴＥ信号という。発信元の電話番号はＩＮＶＩＴＥ信号のｄｉｓｐｌａｙ−ｎａｍｅフィールドに記載される。
【００２９】
Ｓ２３：電話サーバ５は、受信した発信信号を着信先の電話番号に対応する電話機８に送信する。
Ｓ３１：電話機８は、鳴動し、発信信号に設定された発信元の電話番号や、予めこの電話番号に対応づけられた表示名を電話機８の表示パネルなどに表示する。
【００３０】
Ｓ３３：電話機８のユーザなどが、表示パネルの表示名などを見て、例えば、発信元が知人であることを確認し、電話機８をオフフックする。
Ｓ４１：これにより、公衆電話機１と電話機８とで通話が可能となり、電話サーバ５は、その通話を中継する。
【００３１】
Ｓ５１：電話サーバ５は、通話が終了したなら、Ｓ１１で受信した記録媒体契約者の識別情報と通話の課金に必要な情報（例えば、通話時間）とを課金サーバ７に送信する。
Ｓ５３：課金サーバ７は、例えば、通話時間に応じた料金を識別情報に対応する記録媒体契約者の口座などに課金する。
【００３２】
なお、電話番号非通知の操作が行われた場合は、以下のシーケンスとなる。
Ｓ１１：通信部１４は、電話サーバ５に公衆電話機１の電話番号を要求する。
Ｓ１３：電話サーバ５は、番号情報サーバ６に公衆電話機１の電話番号を要求する。
Ｓ１５：番号情報サーバ６は、公衆電話機１に電話番号を割り当て、この電話番号を含む信号を電話サーバ５に送信する。
【００３３】
Ｓ１７：電話サーバ５は、公衆電話機１の電話番号を含む信号を公衆電話機１に送信する。
Ｓ２１：通信部１４は、公衆電話機１の電話番号を発信元とし、Ｓ７で選択された表示名に対応づけられた電話番号を着信先として設定した発信信号を電話サーバ５に送信する。
【００３４】
その他については、上記シーケンスと同じである。なお、Ｓ１１〜Ｓ１７を省略し、予め公衆電話機１に保持した公衆電話機１の電話番号を使用してもよい。
また、Ｓ１１〜Ｓ１７は、Ｓ７以前に行ってもよい。
【００３５】
このように公衆電話機１は、記録媒体挿入口１１と、記録媒体挿入口１１に挿入された記録媒体３から着信先の電話番号リスト３１を読み込む電話番号リスト取得部１２と、電話番号リスト３１において各電話番号に対応づけられた表示名を表示する表示部１３と、１つの表示された表示名が選択されたなら、電話番号リスト３１において選択された表示名に対応づけられた着信先の電話番号に発信する通信部１４とを備えるので、携帯電話機２がなくても電話番号リスト３１内の着信先の電話番号に発信することができる。
【００３６】
なお、本発明は上記実施の形態に限定されるものでなく、様々な変形例が考えられる。
【００３７】
（変形例１）
例えば、上記実施の形態では、電話番号リスト３１を記録媒体３から読み込んだが、例えば、電話番号リスト３１が記録媒体３になく、番号情報サーバ６に保存されている場合がある。
【００３８】
この場合、電話番号リスト取得部１２は、記録媒体３から記録媒体契約者の識別情報を読み込み、また、ＰＩＮコードの入力を促し、入力されたＰＩＮコードと識別情報を含む信号を電話サーバに送信する。
【００３９】
電話サーバ５は、ＰＩＮコードと識別情報を含む信号を番号情報サーバ６に送信する。
番号情報サーバ６は、ＰＩＮコードにより認証を行い、認証が成功なら、識別情報に予め対応づけられた着信先の電話番号リスト３１を電話サーバ５に送信する。
電話サーバ５は、受信した電話番号リスト３１を公衆電話機１に送信する。
電話番号リスト取得部１２は、電話番号リスト３１を受信する。
【００４０】
以下、電話番号リスト３１は、記録媒体３から読み込んだ電話番号リスト３１と同様に使用される。
これにより、電話番号リスト３１が記録媒体３に記憶されてない場合であっても、携帯電話機２を使わずに電話番号リスト３１内の着信先の電話番号に発信することができる。
【００４１】
なお、公衆電話機１を公平に使用するという観点から、電話番号リスト３１を取得するまでの間は、公衆電話機１を着信不可能にするのが好ましい。
【００４２】
（変形例２）
例えば、上記実施の形態では、記録媒体契約者の電話番号を番号情報サーバ６から電話サーバ５を介して取得したが、記録媒体契約者の電話番号が記録媒体３に保存されている場合がある。
【００４３】
この場合、通信部１４は、Ｓ２１に先立ち、記録媒体３から記録媒体契約者の電話番号を読み込み、Ｓ２１では、発信元として、記録媒体３から読み込んだ記録媒体契約者の電話番号を設定する。
【００４４】
これにより、記録媒体契約者の電話番号を番号情報サーバ６から電話サーバ５を介して取得する手順を省略できる。
【００４５】
例えば、公衆電話機１がＩＰ化されてない場合、通信部１４は、記録媒体３から読み込んだ記録媒体契約者の電話番号を２進数の電気信号に変換して電話サーバ５に送信する。
【００４６】
電話サーバ５は、この電気信号を着信側の番号表示方式に合わせて修正し、着信先の電話番号に対応する電話機８に送信する。
これにより、公衆電話機１がＩＰ化されてない場合であっても、記録媒体契約者の電話番号を表示させることができる。
【００４７】
（変形例３）
例えば、上記実施の形態では、課金サーバ７が課金を行ったが、公衆電話機１に投入された通貨または通貨の同等物に対して課金を行ってもよい。
【００４８】
例えば、記録媒体契約者の友人などが、通貨投入口１０３に硬貨を投入する。
公衆電話機１は、通話が終わったなら、硬貨の金額から課金金額を減じた金額の釣り銭を釣り銭取り出し口１０６に排出する。
【００４９】
または、記録媒体契約者の友人などが、通話カード挿入口１０４に通話カード（つまり通貨の同等物）を挿入する。
公衆電話機１は、通話が終わったなら、通話カードの残高から課金金額を減じ、通話カードを通話カード挿入口１０４から排出する。
【００５０】
これにより、記録媒体契約者の口座に課金されることがなく、電話番号リスト３１内の着信先の電話番号に発信することができる。よって、友人などが記録媒体契約者から記録媒体３を借り、自分の通貨や通話カードで通話を行うことができる。
【００５１】
（変形例４）
例えば、上記実施の形態では、電話番号リスト３１において、着信先の電話番号と表示名を分けたが、少なくとも一部の電話番号については、着信先の電話番号を表示名として使用してもよい。この場合、着信先の電話番号を表示名として表示する。例えば、良く知る相手であれば、このように電話番号を表示名としても相手を認識できる。
【００５２】
なお、公衆電話機１や電話サーバ５としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００５３】
１…公衆電話機
２…携帯電話機
３…記録媒体
５…電話サーバ
６…番号情報サーバ
７…課金サーバ
８…電話機
１１…記録媒体挿入口
１２…電話番号リスト取得部
１３…表示部
１４…通信部
３１…電話番号リスト
１０１…受話器
１０２…表示パネル
１０３…通貨投入口
１０４…通話カード挿入口
１０５…テンキー
１０６…釣り銭取り出し口
【図１】
0006467315.tif 000002
【図２】
0006467315.tif 000003